(57)【要約】【課題】反対向きに配置する液晶表示パネル２，３を一体的に保持する機能を維持しつつ、容易に分解できる液晶表示装置１を提供する。【解決手段】メインの液晶表示パネル２をフレーム17に取り付け、サブの液晶表示パネル３をベゼル21に取り付ける。フレーム17とベゼル21とを組み合わせ、メインの液晶表示パネル２とサブの液晶表示パネル３とを反対向きに配置して保持する。フレーム17とベゼル21とを分離することにより、各フレーム17およびベゼル21毎に各液晶表示パネル２，３を容易に分離できる。【選択図】図１
2007193128.tif 000002
【特許請求の範囲】
【請求項１】
第１の平面表示パネルと、
この第１の平面表示パネルを支持する第１のフレームと、
第２の平面表示パネルと、
この第２の平面表示パネルを支持し、この第２の平面表示パネルを前記第１の平面表示パネルに対して反対側に向けて前記第１のフレームに着脱可能に取り付けられる第２のフレームと
を具備していることを特徴とする平面表示装置。
【請求項２】
第１のフレームと第２のフレームとの間に保持されて第１の平面表示パネルと第２の平面表示パネルとの間に配置された面状光源体を具備している
ことを特徴とする請求項１記載の平面表示装置。
【請求項３】
第２のフレームは、第１のフレームに着脱可能に嵌合して取り付けられる金属製のベゼルである
ことを特徴とする請求項１または２記載の平面表示装置。
【発明の詳細な説明】
【技術分野】
【０００１】
本発明は、第１の平面表示パネルと第２の平面表示パネルとを反対向きに配置した平面表示装置に関する。
【背景技術】
【０００２】
従来、例えば、携帯電話などに用いられる平面表示装置としての液晶表示装置は、筐体の表裏にそれぞれ配置されて表示する平面表示パネルとしてのメインとサブの２枚の液晶表示パネルを備え、これら背中合わせに配置されるメインとサブの液晶表示パネル間にこれらメインとサブの液晶表示パネルを照明する面状光源体であるバックライトを配置している（例えば、特許文献１参照。）。
【０００３】
このようなメインとサブの２枚の液晶表示パネルを用いる液晶表示装置では、合成樹脂製の１つのフレームの内側にバックライトの導光体や光学シートなどを配置し、フレームの一方の面側にメインの液晶表示パネルを両面粘着材などによって貼付固定し、フレームの他方の面側にサブの液晶表示パネルを両面粘着材などによって貼付固定している。
【特許文献１】特開２００４−３６２８７７号公報（第５頁、図１）
【発明の開示】
【発明が解決しようとする課題】
【０００４】
ところで、液晶表示装置の修理や回収のために分解することがあるが、フレームに１枚の液晶表示パネルのみを貼付固定している場合には、フレームを弾性変形させながら液晶表示パネルを剥がすことで、容易に分解することができる。
【０００５】
しかし、フレームの両面に２枚の液晶表示パネルを貼付固定している場合には、一方の液晶表示パネルを剥がそうとしてフレームを弾性変形させようようとしても、他方の液晶表示パネルのガラスの強度でフレームの弾性変形を阻むため、分解しにくく、作業中に他方の液晶表示パネルに無理な負荷が加わって破損させやすい問題がある。
【０００６】
また、メインとサブの液晶表示パネルが、ＦＰＣ（Fiexible Print Circuit）などのフラットケーブルによって連続して接続されているメインサブ一体型液晶表示パネルの場合、フラットケーブルのたわみが少ないため、分解を阻む原因となり、作業中にフラットケーブルと液晶表示パネルとの接続部分やフラットケーブル自体を破損させやすい問題がある。
【０００７】
しかも、液晶表示パネルにはＯＬＢ（Outer Lead Bonding）によってフラットケーブルを接続しているため、液晶表示パネルのガラスが薄い部分が多く破損しやすい問題がある。
【０００８】
本発明は、このような点に鑑みなされたもので、反対向きに配置される第１の平面表示パネルと第２の平面表示パネルとを一体的に保持する機能を維持しつつ、各部品が破損することなく容易に分解できる平面表示装置を提供することを目的とする。
【課題を解決するための手段】
【０００９】
本発明は、第１の平面表示パネルと、この第１の平面表示パネルを支持する第１のフレームと、第２の平面表示パネルと、この第２の平面表示パネルを支持し、この第２の平面表示パネルを前記第１の平面表示パネルに対して反対側に向けて前記第１のフレームに着脱可能に取り付けられる第２のフレームとを具備しているものである。
【発明の効果】
【００１０】
本発明によれば、第１の平面表示パネルを支持した第１のフレームと第２の平面表示パネルを支持した第２のフレームとを組み合わせることにより、第１の平面表示パネルと第２の平面表示パネルとを反対向きに配置して保持でき、また、第１のフレームと第２のフレームとを分離することにより、各フレーム毎に各平面表示パネルを容易に分離することが可能となり、平面表示装置を構成する各部品を破損することなく容易に分解でき、修理や回収の作業性を向上できる。
【発明を実施するための最良の形態】
【００１１】
以下、本発明の一実施の形態を図面を参照して説明する。
【００１２】
図１および図２において、１は平面表示装置としての液晶表示装置で、この液晶表示装置１は、例えば、携帯電話などに用いられるもので、略矩形平板状の第１の平面表示パネルとしてのメインの液晶表示パネル２、およびメインの液晶表示パネル２より小形で略矩形平板状の第２の平面表示パネルとしてのサブの液晶表示パネル３を備えている。これらメインとサブの液晶表示パネル２，３の一主面である表面の中央部には、画像を表示する矩形状の表示領域2a，3aが形成されている。
【００１３】
これらメインとサブの液晶表示パネル２，３は図示しない駆動回路基板に対してＦＰＣ（Fiexible Print Circuit）やＣＯＦ（Chip On Film）などの駆動用のフラットケーブル４，５により連続して接続され、メインサブ一体型液晶表示パネルが形成されている。
【００１４】
メインの液晶表示パネル２は、絶縁性基板であるガラス基板上に図示しない薄膜トランジスタ(ＴＦＴ)や透明画素電極(ＩＴＯ)などがマトリクス状に形成されて構成された矩形平板状のアレイ基板７を備えている。このアレイ基板７の表面側には、図示しない対向電極が形成された矩形平板状の対向基板８が対向して取り付けられている。これらアレイ基板７と対向基板８との間には図示しない液晶が介挿されて封止されている。これらアレイ基板７および対向基板８の外面には、これらアレイ基板７および対向基板８を透過する光を光学的に変化させる光学シート９，10が取り付けられている。そして、アレイ基板７の寸法は対向基板８の寸法よりも大きく、各フラットケーブル４，５の長手方向に対応したアレイ基板７の両端部である上下部に各フラットケーブル４，５の各一端が接続されている。
【００１５】
サブの液晶表示パネル３は、メインの液晶表示パネル２と同様に構成されており、すなわち、絶縁性基板であるガラス基板上に図示しない薄膜トランジスタ(ＴＦＴ)や透明画素電極(ＩＴＯ)などがマトリクス状に形成されて構成された矩形平板状のアレイ基板12を備えている。このアレイ基板12の表面側には、図示しない対向電極が形成された矩形平板状の対向基板13が対向して取り付けられている。これらアレイ基板12と対向基板13との間には図示しない液晶が介挿されて封止されている。これらアレイ基板12および対向基板13の外面には、これらアレイ基板12および対向基板13を透過する光を光学的に変化させる光学シート14，15が取り付けられている。そして、アレイ基板12の寸法は対向基板13の寸法よりも大きく、そのアレイ基板12の一端部である上部にメインの液晶表示パネル２と接続するフラットケーブル５の他端が接続されている。
【００１６】
また、メインの液晶表示パネル２を支持する第１のフレームとしてのフレーム17を備えている。このフレーム17は、例えば合成樹脂製で四角形枠状に形成され、中央域に略矩形状の収容部18が開口されている。フレーム17の一方の面側の内周縁部には、メインの液晶表示パネル２のアレイ基板７の周縁部が嵌合される溝部19が形成されている。この溝部19には、例えば剥離可能な両面粘着テープや接着剤などの貼着材20によってメインの液晶表示パネル２のアレイ基板７の裏面周縁部が貼着固定されている。
【００１７】
また、サブの液晶表示パネル３を支持するとともにフレーム17の他方の面側に着脱可能に取り付けられる第２のフレームとしてのベゼル21を備えている。このベゼル21は、例えば弾性変形可能な金属製で、フレーム17の他方の面側を覆うように配置される取付面部22、およびこの取付面部22の縁部からフレーム17の周囲に嵌合して取り付けられる取付片部23を有している。取付面部22の中央には少なくともサブの液晶表示パネル３の表示領域3aの大きさに対応した開口部24が形成され、この開口部24の縁部にサブの液晶表示パネル３のアレイ基板12の周縁部が嵌合される溝部25を形成する嵌合部26が突出形成されている。この溝部25には、剥離可能な例えば両面粘着テープや接着剤などの貼着材27によってサブの液晶表示パネル３のアレイ基板12の裏面周縁部が貼着固定されている。
【００１８】
そして、メインの液晶表示パネル２を支持したフレーム17とサブの液晶表示パネル３を支持したベゼル21とを組み合わせることにより、メインの液晶表示パネル２とサブの液晶表示パネル３とが反対向きに配置される。メインの液晶表示パネル２とサブの液晶表示パネル３とを接続するフラットケーブル５は、フレーム17およびベゼル21の一端側である上側に湾曲された状態に配置されている。
【００１９】
また、フレーム17の内側には、各液晶表示パネル２，３の裏面側から面状の光を照射して照明する面状光源体としてのバックライト29が配置されている。すなわち、バックライト29は、フレーム17とベゼル21との間に保持されてメインの液晶表示パネル２とサブの液晶表示パネル３との間に配置されている。
【００２０】
このバックライト29は、例えばアクリル製の略矩形平板状の導光板30を有し、この導光板30の一辺の入射面に対向して光を入射させる例えば発光ダイオードなどの図示しない光源が配置されている。導光板30の各液晶表示パネル２，３に対向する両面には、光源から導光板30内に入射した光が出射する発光面31が形成されている。
【００２１】
導光板30の両発光面31には、各発光面31から出射する面状の光を光学的に変化させる矩形シート状の複数、例えば３枚の光学シート32が重ね合わされた状態で取り付けられている。
【００２２】
そして、バックライト29の両発光面31から発光される面状の光は、各液晶表示パネル２，３の表示領域2a，3aの裏面側へと照射されて、各液晶表示パネル２，３の表示領域2a，3aを透過する。
【００２３】
次に、液晶表示装置１の作用を説明する。
【００２４】
液晶表示装置１の組立状態では、図１に示すように、バックライト29がフレーム17の内側に配置され、メインの液晶表示パネル２を取り付けたフレーム17とサブの液晶表示パネル３を取り付けたベゼル21とが組み合わされ、メインの液晶表示パネル２とサブの液晶表示パネル３とが背中合わせ状態であって、メインの液晶表示パネル２の表面の表示領域2aとサブの液晶表示パネル３の表面の表示領域2aとが反対向きに配置されている。バックライト29はフレーム17とベゼル21との間に保持されてメインの液晶表示パネル２とサブの液晶表示パネル３との間に配置されている。メインの液晶表示パネル２とサブの液晶表示パネル３とを接続するフラットケーブル５は、フレーム17およびベゼル21の一端側である上部側に湾曲された状態に配置されている。
【００２５】
そして、液晶表示装置１を分解する場合には、図２に示すように、まず、フレーム17とベゼル21と分離する。このとき、ベゼル21のフラットケーブル５が引き出されている一端側である上部側に対して反対側である下部側をフレーム17から外すことにより、フラットケーブル５に無理な負荷を加えることなく、ベゼル21をフレーム17から容易に分離させることができる。
【００２６】
分離させたフレーム17から、メインの液晶表示パネル２を剥がして分離する。このとき、フレーム17を弾性変形させることにより、メインの液晶表示パネル２をフレーム17から容易に剥がすことが可能で、メインの液晶表示パネル２自体やこのメインの液晶表示パネル２に接続されたフラットケーブル４，５の接続箇所などに無理な負荷を加えて破損させることなく、容易に分離できる。
【００２７】
分離させたベゼル21からサブの液晶表示パネル３を剥がして分離する。このとき、ベゼル21を弾性変形させることにより、サブの液晶表示パネル３をベゼル21から容易に剥がすことが可能で、サブの液晶表示パネル３自体やこのサブの液晶表示パネル３に接続されたフラットケーブル５の接続箇所などに無理な負荷を加えて破損させることなく、容易に分離できる。
【００２８】
このように、液晶表示装置１では、メインの液晶表示パネル２を支持したフレーム17とサブの液晶表示パネル３を支持したベゼル21とを組み合わせることにより、メインの液晶表示パネル２とサブの液晶表示パネル３とを反対向きに配置して保持でき、また、フレーム17とベゼル21とを分離することにより、フレーム17およびベゼル21毎に各液晶表示パネル２，３を容易に分離することが可能となり、液晶表示装置１を構成する液晶表示パネル２，３およびフラットケーブル４，５などの各部品を破損することなく容易に分解でき、修理や回収の作業性を向上できる。
【００２９】
また、フレーム17とベゼル21とを組み合わせることにより、これらフレーム17とベゼル21との間で、メインの液晶表示パネル２とサブの液晶表示パネル３との間に配置するバックライト29を位置決めして保持できる。
【００３０】
また、サブの液晶表示パネル３を支持する第２のフレームとして、金属製のベゼル21を用いることにより、フレーム17に対する組立性および分離性を向上でき、フレーム分割構造であっても小形にできる。
【００３１】
なお、バックライト29は、メインの液晶表示パネル２用とサブの液晶表示パネル３用とに分けてもよい。
【００３２】
また、平面表示装置としては、液晶表示装置１に限られず、例えば有機ＥＬ表示装置などにも適用できる。
【図面の簡単な説明】
【００３３】
【図１】本発明の一実施の形態を示す平面表示装置の組立状態の断面図である。
【図２】同上平面表示装置の分解過程の断面図である。
【符号の説明】
【００３４】
１    平面表示装置としての液晶表示装置
２    第１の平面表示パネルとしてのメインの液晶表示パネル
３    第２の平面表示パネルとしてのサブの液晶表示パネル
17    第１のフレームとしてのフレーム
21    第２のフレームとしてのベゼル
29    面状光源体としてのバックライト
【図１】
2007193128.tif 000003
【図２】
2007193128.tif 000004